(57)【要約】【課題】光ディスクがＢＤであるか否かを正確に判別する。【解決手段】ディスクプレーヤ１００のＤＳＰ３２は、ＢＤ用ＬＤからのレーザ光を、光ディスクの再生するべき情報が格納された領域である再生情報領域ＤＡに照射して、光ピックアップ１で取得された全ての反射光に対応する電気信号の総和である全加算信号ＡＳ１を取得する記録信号取得部３２１と、ＢＤ用ＬＤからのレーザ光を、光ディスクの中心位置から２１．３ｍｍから２２．０ｍｍまでの領域である検査領域ＣＡに照射して、全加算信号ＡＳ２を取得する検査信号取得部３２２と、記録信号取得部３２１によって取得された全加算信号ＡＳ１、及び、検査信号取得部３２２によって取得された全加算信号ＡＳ２に基づいて、光ディスクがＢＤであるか否かを判別する判別部３２３と、を備えている。【選択図】図２
2008243245.tif 000002
【特許請求の範囲】
【請求項１】
ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、
前記ＢＤ用光源からのレーザ光を、光ディスクの再生するべき情報が格納された領域である再生情報領域に照射して、前記光ピックアップで取得された全ての反射光に対応する電気信号の総和である全加算信号、及び、光ディスクにおける記録面の位置に対する光源からの照射光の焦点位置のズレ量を示すフォーカシングエラー信号を取得する記録信号取得手段と、
前記ＢＤ用光源からのレーザ光を、光ディスクの中心位置から２１．３ｍｍから２２．０ｍｍまでの領域である検査領域に照射して、前記全加算信号及びフォーカシングエラー信号を取得する検査信号取得手段と、
前記記録信号取得手段によって取得された全加算信号及びフォーカシングエラー信号と、前記検査信号取得手段によって取得された全加算信号及びフォーカシングエラー信号とに基づいて、光ディスクがＢＤであるか否かを判別する判別手段と、
を備え、
前記判別手段は、前記記録信号取得手段によって取得された全加算信号の値を、前記検査信号取得手段によって取得された全加算信号の値で除した商が、予め設定された下限閾値及び上限閾値の範囲内であり、且つ、前記記録信号取得手段によって取得されたフォーカシングエラー信号の値を、前記検査信号取得手段によって取得されたフォーカシングエラー信号の値で除した商が、予め設定された下限閾値及び上限閾値の範囲内である場合に、光ディスクがＢＤであると判別することを特徴とする光ディスク再生装置。
【請求項２】
ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、
前記ＢＤ用光源からのレーザ光を、光ディスクの再生するべき情報が格納された領域である再生情報領域に照射して、前記光ピックアップで取得された全ての反射光に対応する電気信号の総和である全加算信号を取得する記録信号取得手段と、
前記ＢＤ用光源からのレーザ光を、光ディスクの中心位置から２１．３ｍｍから２２．０ｍｍまでの領域である検査領域に照射して、前記全加算信号を取得する検査信号取得手段と、
前記記録信号取得手段によって取得された全加算信号、及び、前記検査信号取得手段によって取得された全加算信号に基づいて、光ディスクがＢＤであるか否かを判別する判別手段と、
を備えることを特徴とする光ディスク再生装置。
【請求項３】
前記判別手段は、前記記録信号取得手段によって取得された全加算信号の値を、前記検査信号取得手段によって取得された全加算信号の値で除した商に基づいて、光ディスクがＢＤであるか否かを判別することを特徴とする請求項２に記載の光ディスク再生装置。
【請求項４】
前記判別手段は、前記記録信号取得手段によって取得された全加算信号の値を、前記検査信号取得手段によって取得された全加算信号の値で除した商が、予め設定された下限閾値及び上限閾値の範囲内である場合に、光ディスクがＢＤであると判別することを特徴とする請求項３に記載の光ディスク再生装置。
【請求項５】
ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、
前記ＢＤ用光源からのレーザ光を、光ディスクの再生するべき情報が格納された領域である再生情報領域に照射して、光ディスクにおける記録面の位置に対する光源からの照射光の焦点位置のズレ量を示すフォーカシングエラー信号を取得する記録信号取得手段と、
前記ＢＤ用光源からのレーザ光を、光ディスクの中心位置から２１．３ｍｍから２２．０ｍｍまでの領域である検査領域に照射して、前記フォーカシングエラー信号を取得する検査信号取得手段と、
前記記録信号取得手段によって取得されたフォーカシングエラー信号、及び、前記検査信号取得手段によって取得されたフォーカシングエラー信号に基づいて、光ディスクがＢＤであるか否かを判別する判別手段と、
を備えることを特徴とする光ディスク再生装置。
【発明の詳細な説明】
【技術分野】
【０００１】
本発明は、ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置に関する。
【背景技術】
【０００２】
光ディスクの種類の多様化に伴い、複数種類の光ディスクを再生可能な光ディスク再生装置が提供されている。このような光ディスク再生装置では、ディスクの種類によって再生条件が異なるので、再生対象である光ディスクの種類を判別し、その判別結果に応じて再生条件を設定する必要がある。
【０００３】
例えば、Ｓ字検出レベルと、光ディスクにおける記録面の位置に対する光源からの照射光の焦点位置のズレ量を示すフォーカシングエラー信号（＝ＦＥ信号）レベルと、からＳ字カーブが検出されたか否かを判定し、Ｓ字カーブが検出されない場合は、ＢＤ以外の光ディスクであると判定する光ディスク装置が提案されている（特許文献１参照）。
【特許文献１】特開２００６−１３４３６７号公報
【発明の開示】
【発明が解決しようとする課題】
【０００４】
しかしながら、上記の光ディスク装置では、検出条件によってＳ字検出レベル及びＦＥ信号レベルが変化するため、Ｓ字カーブが検出されたか否かの判定が正確に行われない場合があり、その結果、光ディスクがＢＤであるか否かを正確に判定できない場合がある。
【０００５】
上記の課題に鑑みて、本発明は、光ディスクがＢＤであるか否かを正確に判別することの可能な光ディスク再生装置を提供することを目的としている。
【課題を解決するための手段】
【０００６】
上記目的を達成するために請求項１に記載の光ディスク再生装置は、ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、前記ＢＤ用光源からのレーザ光を、光ディスクの再生するべき情報が格納された領域である再生情報領域に照射して、前記光ピックアップで取得された全ての反射光に対応する電気信号の総和である全加算信号、及び、光ディスクにおける記録面の位置に対する光源からの照射光の焦点位置のズレ量を示すフォーカシングエラー信号を取得する記録信号取得手段と、前記ＢＤ用光源からのレーザ光を、光ディスクの中心位置から２１．３ｍｍから２２．０ｍｍまでの領域である検査領域に照射して、前記全加算信号及びフォーカシングエラー信号を取得する検査信号取得手段と、前記記録信号取得手段によって取得された全加算信号及びフォーカシングエラー信号と、前記検査信号取得手段によって取得された全加算信号及びフォーカシングエラー信号とに基づいて、光ディスクがＢＤであるか否かを判別する判別手段と、を備え、前記判別手段が、前記記録信号取得手段によって取得された全加算信号の値を、前記検査信号取得手段によって取得された全加算信号の値で除した商が、予め設定された下限閾値及び上限閾値の範囲内であり、且つ、前記記録信号取得手段によって取得されたフォーカシングエラー信号の値を、前記検査信号取得手段によって取得されたフォーカシングエラー信号の値で除した商が、予め設定された下限閾値及び上限閾値の範囲内である場合に、光ディスクがＢＤであると判別することを特徴としている。
【０００７】
請求項２に記載の光ディスク再生装置は、ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、前記ＢＤ用光源からのレーザ光を、光ディスクの再生するべき情報が格納された領域である再生情報領域に照射して、前記光ピックアップで取得された全ての反射光に対応する電気信号の総和である全加算信号を取得する記録信号取得手段と、前記ＢＤ用光源からのレーザ光を、光ディスクの中心位置から２１．３ｍｍから２２．０ｍｍまでの領域である検査領域に照射して、前記全加算信号を取得する検査信号取得手段と、前記記録信号取得手段によって取得された全加算信号、及び、前記検査信号取得手段によって取得された全加算信号に基づいて、光ディスクがＢＤであるか否かを判別する判別手段と、を備えることを特徴としている。
【０００８】
請求項３に記載の光ディスク再生装置は、請求項２に記載の光ディスク再生装置であって、前記判別手段が、前記記録信号取得手段によって取得された全加算信号の値を、前記検査信号取得手段によって取得された全加算信号の値で除した商に基づいて、光ディスクがＢＤであるか否かを判別することを特徴としている。
【０００９】
請求項４に記載の光ディスク再生装置は、請求項３に記載の光ディスク再生装置であって、前記判別手段が、前記記録信号取得手段によって取得された全加算信号の値を、前記検査信号取得手段によって取得された全加算信号の値で除した商が、予め設定された下限閾値及び上限閾値の範囲内である場合に、光ディスクがＢＤであると判別することを特徴としている。
【００１０】
請求項５に記載の光ディスク再生装置は、ＢＤ（Ｂｌｕ−ｒａｙ  Ｄｉｓｋ）に格納された情報を読み取るレーザ光を照射するＢＤ用光源と、再生する対象のＢＤを含む光ディスクからの反射光を電気信号に変換する光ピックアップと、を備え、光ディスクに格納された情報を読み出して再生する光ディスク再生装置であって、前記ＢＤ用光源からのレーザ光を、光ディスクの再生するべき情報が格納された領域である再生情報領域に照射して、光ディスクにおける記録面の位置に対する光源からの照射光の焦点位置のズレ量を示すフォーカシングエラー信号を取得する記録信号取得手段と、前記ＢＤ用光源からのレーザ光を、光ディスクの中心位置から２１．３ｍｍから２２．０ｍｍまでの領域である検査領域に照射して、前記フォーカシングエラー信号を取得する検査信号取得手段と、前記記録信号取得手段によって取得されたフォーカシングエラー信号、及び、前記検査信号取得手段によって取得されたフォーカシングエラー信号に基づいて、光ディスクがＢＤであるか否かを判別する判別手段と、を備えることを特徴としている。
【発明の効果】
【００１１】
請求項１に記載の光ディスク再生装置によれば、ＢＤ用光源からのレーザ光が、光ディスクの再生するべき情報が格納された領域である再生情報領域に照射されて、光ピックアップで取得された全ての反射光に対応する電気信号の総和である全加算信号が取得される。また、ＢＤ用光源からのレーザ光が、光ディスクの中心位置から２１．３ｍｍから２２．０ｍｍまでの領域である検査領域に照射されて、全加算信号が取得される。取得された２つの全加算信号に基づいて、光ディスクがＢＤであるか否かが判別されるため、光ディスクがＢＤであるか否かを正確に判別することができる。
【００１２】
すなわち、光ディスクの中心位置から２１．３ｍｍから２２．０ｍｍまでの領域である検査領域は、ＢＤの場合には、再生するべき情報が格納された再生情報領域（＝Ｉｎｆｏｒｍａｔｉｏｎ  Ａｒｅａ）であるのに対して、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）の場合には、再生情報領域ではない（図４参照）ため、再生情報領域で検出される全加算信号及び検査領域で検出される全加算信号に基づいて、光ディスクがＢＤであるか否かが判別されるので、光ディスクがＢＤであるか否かを正確に判別することができるのである。
【００１３】
また、ＢＤ用光源からのレーザ光が、光ディスクの再生するべき情報が格納された領域である再生情報領域に照射されて、光ディスクにおける記録面の位置に対する光源からの照射光の焦点位置のズレ量を示すフォーカシングエラー信号が取得される。また、ＢＤ用光源からのレーザ光が、光ディスクの中心位置から２１．３ｍｍから２２．０ｍｍまでの領域である検査領域に照射されて、フォーカシングエラー信号が取得される。取得された２つのフォーカシングエラー信号に基づいて、光ディスクがＢＤであるか否かが判別されるため、光ディスクがＢＤであるか否かを正確に判別することができる。
【００１４】
すなわち、光ディスクの中心位置から２１．３ｍｍから２２．０ｍｍまでの領域である検査領域は、ＢＤの場合には、再生するべき情報が格納された再生情報領域（＝Ｉｎｆｏｒｍａｔｉｏｎ  Ａｒｅａ）であるのに対して、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）の場合には、再生情報領域ではない（図４参照）ため、再生情報領域で検出されるフォーカシングエラー信号及び検査領域で検出されるフォーカシングエラー信号に基づいて、光ディスクがＢＤであるか否かが判別されるので、光ディスクがＢＤであるか否かを正確に判別することができるのである。
【００１５】
更に、再生情報領域で検出された全加算信号の値を、検査領域で検出された全加算信号の値で除した商が、予め設定された下限閾値及び上限閾値の範囲内であり、且つ、再生情報領域で検出されたフォーカシングエラー信号の値を、検査領域で検出されたフォーカシングエラー信号の値で除した商が、予め設定された下限閾値及び上限閾値の範囲内である場合に、光ディスクがＢＤであると判別されるため、下限閾値及び上限閾値を適正値に設定することにより、光ディスクがＢＤであるか否かを更に正確に判別することができる。
【００１６】
請求項２に記載の光ディスク再生装置によれば、ＢＤ用光源からのレーザ光が、光ディスクの再生するべき情報が格納された領域である再生情報領域に照射されて、光ピックアップで取得された全ての反射光に対応する電気信号の総和である全加算信号が取得される。また、ＢＤ用光源からのレーザ光が、光ディスクの中心位置から２１．３ｍｍから２２．０ｍｍまでの領域である検査領域に照射されて、全加算信号が取得される。取得された２つの全加算信号に基づいて、光ディスクがＢＤであるか否かが判別されるため、光ディスクがＢＤであるか否かを正確に判別することができる。
【００１７】
すなわち、光ディスクの中心位置から２１．３ｍｍから２２．０ｍｍまでの領域である検査領域は、ＢＤの場合には、再生するべき情報が格納された再生情報領域（＝Ｉｎｆｏｒｍａｔｉｏｎ  Ａｒｅａ）であるのに対して、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）の場合には、再生情報領域ではない（図４参照）ため、再生情報領域で検出される全加算信号及び検査領域で検出される全加算信号に基づいて、光ディスクがＢＤであるか否かが判別されるので、光ディスクがＢＤであるか否かを正確に判別することができるのである。
【００１８】
請求項３に記載の光ディスク再生装置によれば、再生情報領域で検出された全加算信号の値を、検査領域で検出された全加算信号の値で除した商に基づいて、光ディスクがＢＤであるか否かが判別されるため、光ディスクがＢＤであるか否かを更に正確に判別することができる。
【００１９】
請求項４に記載の光ディスク再生装置によれば、再生情報領域で検出された全加算信号の値を、検査領域で検出された全加算信号の値で除した商が、予め設定された下限閾値及び上限閾値の範囲内である場合に、光ディスクがＢＤであると判別されるため、下限閾値及び上限閾値を適正値に設定することにより、光ディスクがＢＤであるか否かを更に正確に判別することができる。
【００２０】
請求項５に記載の光ディスク再生装置によれば、ＢＤ用光源からのレーザ光が、光ディスクの再生するべき情報が格納された領域である再生情報領域に照射されて、光ディスクにおける記録面の位置に対する光源からの照射光の焦点位置のズレ量を示すフォーカシングエラー信号が取得される。また、ＢＤ用光源からのレーザ光が、光ディスクの中心位置から２１．３ｍｍから２２．０ｍｍまでの領域である検査領域に照射されて、フォーカシングエラー信号が取得される。取得された２つのフォーカシングエラー信号に基づいて、光ディスクがＢＤであるか否かが判別されるため、光ディスクがＢＤであるか否かを正確に判別することができる。
【００２１】
すなわち、光ディスクの中心位置から２１．３ｍｍから２２．０ｍｍまでの領域である検査領域は、ＢＤの場合には、再生するべき情報が格納された再生情報領域（＝Ｉｎｆｏｒｍａｔｉｏｎ  Ａｒｅａ）であるのに対して、ＣＤ（Ｃｏｍｐａｃｔ  Ｄｉｓｋ）又はＤＶＤ（Ｄｉｇｉｔａｌ  Ｖｅｒｓａｔｉｌｅ  Ｄｉｓｋ）の場合には、再生情報領域ではない（図４参照）ため、再生情報領域で検出されるフォーカシングエラー信号及び検査領域で検出されるフォーカシングエラー信号に基づいて、光ディスクがＢＤであるか否かが判別されるので、光ディスクがＢＤであるか否かを正確に判別することができるのである。
【発明を実施するための最良の形態】
【００２２】
以下に本発明の実施形態を、図面を参照しながら説明する。図１は、本発明に係るディスクプレーヤの一例を示す構成図である。ディスクプレーヤ１００（光ディスク再生装置に相当する）は、本発明に係る光ピックアップ１、出力装置３、制御装置４、駆動装置５、表示部６、及び操作部７を備えている。
【００２３】
光ピックアップ１は、ＣＤ用ＬＤ（Ｌａｓｅｒ  Ｄｉｏｄｅ）、ＤＶＤ用ＬＤ、及びＢＤ用ＬＤを備え、再生する対象の光ディスク２（ＣＤ、ＤＶＤ又はＢＤ）からの反射光を電気信号に変換し、光ディスク２（ＣＤ、ＤＶＤ又はＢＤ）に格納された音声情報、画像情報等の各種情報の読み取りを行うものである。ＣＤ用ＬＤは、ＣＤに格納された情報を読み取るレーザ光を照射するものである。ＤＶＤ用ＬＤは、ＤＶＤに格納された情報を読み取るレーザ光を照射するものである。ＢＤ用ＬＤは、ＢＤに格納された情報を読み取るレーザ光を照射するものである。
【００２４】
また、光ピックアップ１（記録信号取得手段の一部、検査信号取得手段の一部に相当する）は、スレッドモータ５１によって、光ディスク２の径方向、及び、垂直方向（近接、離間方向）に移動可能に構成されている。更に、光ピックアップ１は、ＤＳＰ３２からの指示に従ってスレッドモータ５１を介して光ディスク２の径方向、及び、垂直方向に移動されると共に、後述するＲＦアンプ３１を介してＤＳＰ３２に対してフォーカシングエラー信号及び全加算信号等を出力するものである。
【００２５】
出力装置３は、光ピックアップ１からの音声情報、画像情報等の情報を、音声及び画像に変換して、それぞれ、図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００２６】
ＲＦアンプ３１（記録信号取得手段の一部、検査信号取得手段の一部に相当する）は、光ピックアップ１からの音声情報、画像情報等に対応する信号を増幅するものであって、ＣＤ用ＬＤ、ＤＶＤ用ＬＤ、又はＢＤ用ＬＤからの照射光の焦点位置の、再生対象の光ディスク（ＣＤ、ＤＶＤ又はＢＤ）における記録面の位置に対するズレ量を示すフォーカシングエラー信号（＝ＦＥ信号）、及び、光ピックアップ１で取得された全ての反射光に対応する電気信号の総和である全加算信号（＝ＡＳ信号）等をＤＳＰ３２に対して出力するものである。
【００２７】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、図略のスピーカ及びモニタに出力するためにＤＡ変換処理等を行うものである。
【００２８】
制御装置４は、操作部７を介して受け付けた指示操作に基づいて、光ピックアップ１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。ドライバ４２（記録信号取得手段の一部、検査信号取得手段の一部に相当する）は、ＤＳＰ３２からの指示に基づいて、光ピックアップ１及び駆動装置５の動作を制御するものである。
【００２９】
駆動装置５は、スレッドモータ５１及びスピンドルモータ５２を備える。スレッドモータ５１（記録信号取得手段の一部、検査信号取得手段の一部に相当する）は、ドライバ４２からの指示に基づいて光ピックアップ１を光ディスク２の径方向及び垂直方向に移動させるものである。スピンドルモータ５２は、ドライバ４２からの指示に基づいて光ディスク２を回転駆動するものである。
【００３０】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３１】
図２は、本発明に係るディスクプレーヤ１００における主要部の構成の一例を示す機能構成図である。ＤＳＰ３２は、機能的に、記録信号取得部３２１、検査信号取得部３２２、及び、判別部３２３を備えている。ここでは、ＤＳＰ３２が、図略のＲＯＭ等に予め格納されたプログラムを読み出して実行することにより、記録信号取得部３２１、検査信号取得部３２２、判別部３２３等の機能部として機能するものである。
【００３２】
また、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３３】
記録信号取得部３２１（記録信号取得手段の一部に相当する）は、光ピックアップ１に配設されたＢＤ用ＬＤからのレーザ光を、光ディスク２の再生するべき情報が格納された領域である再生情報領域ＤＡに照射して、光ピックアップ１で取得された全ての反射光に対応する電気信号の総和である全加算信号ＡＳ１（＝全加算信号ＡＳの振幅値ＡＳｐｐ）、及び、光ディスク２における記録面の位置に対する光源からの照射光の焦点位置のズレ量を示すフォーカシングエラー信号ＦＥ１（＝フォーカシングエラー信号ＦＥの振幅値ＦＥｐｐ）を取得するものである（図３参照）。
【００３４】
検査信号取得部３２２（検査信号取得手段の一部に相当する）は、光ピックアップ１に配設されたＢＤ用ＬＤからのレーザ光を、光ディスク２の中心位置から２１．３ｍｍから２２．０ｍｍまでの領域である検査領域ＣＡに照射して、全加算信号ＡＳ２（＝全加算信号ＡＳの振幅値ＡＳｐｐ）及びフォーカシングエラー信号ＦＥ２（＝フォーカシングエラー信号ＦＥの振幅値ＦＥｐｐ）を取得するものである（図３参照）。
【００３５】
ここで、図３を用いて、フォーカシングエラー信号ＦＥ、全加算信号ＡＳについて説明する。図３は、フォーカシングエラー信号ＦＥ、全加算信号ＡＳの一例を示すグラフである。図の横軸は時間であって、（ａ）の縦軸はフォーカシングエラー信号ＦＥであり、（ｂ）の縦軸は全加算信号ＡＳである。
【００３６】
（ａ）に示すように、スレッドモータ５１によって光ピックアップ１（ここでは、ＢＤ用ＬＤ）が光ディスク２に近づくと、フォーカシングエラー信号ＦＥが増大し、所定の位置においてフォーカシングエラー信号ＦＥが最大値ＦＥｍａｘとなり、その後、焦点位置においてゼロとなる。そして、更に光ピックアップ１（ここでは、ＢＤ用ＬＤ）が光ディスク２に近づくと、所定の位置においてフォーカシングエラー信号ＦＥが最小値ＦＥｍｉｎとなり、その後、フォーカシングエラー信号ＦＥが増大する。最大値ＦＥｍａｘと最小値ＦＥｍｉｎとの差が、フォーカシングエラー信号ＦＥの振幅値ＦＥｐｐである。
【００３７】
（ｂ）に示すように、スレッドモータ５１によって光ピックアップ１（ここでは、ＢＤ用ＬＤ）が光ディスクに近づくと、全加算信号ＡＳが増大し、焦点位置において最大値ＡＳｍａｘとなり、その後全加算信号ＡＳが減少し、最小値ＡＳｍｉｎとなる。最大値ＡＳｍａｘと最小値ＡＳｍｉｎとの差が、全加算信号ＡＳの振幅値ＡＳｐｐである。
【００３８】
次に、図４を用いて、光ディスク２の再生情報領域ＤＡ及び検査領域ＣＡについて説明する。図４は、各種の光ディスク２に形成された領域を示す図であり、横軸は、光ディスク２の中心位置からの距離である。（ａ）は、ＢＤに形成された領域を示す図であり、（ｂ）は、ＤＶＤに形成された領域を示す図であり、（ｃ）は、ＣＤに形成された領域を示す図である。
【００３９】
（ａ）に示すように、ＢＤでは、中心位置からの距離が１６．５０ｍｍ〜２１．３ｍｍの領域には、メーカを識別する情報等が格納された領域（＝Ｔｒａｎｓｉｔｉｏｎ  Ａｒｅａ）が形成され、中心位置からの距離が２１．３ｍｍ以上の領域に再生するべき情報が格納された領域（＝Ｉｎｆｏｒｍａｔｉｏｎ  Ａｒｅａ）が形成されている。（ｂ）に示すように、ＤＶＤでは、中心位置からの距離が２２．０ｍｍ以上の領域に再生するべき情報が格納された領域である再生情報領域（＝Ｉｎｆｏｒｍａｔｉｏｎ  Ｚｏｎｅ）が形成されている。（ｃ）に示すように、ＣＤでは、中心位置からの距離が２２．３５ｍｍ以上の領域に再生するべき情報が格納された領域である再生情報領域（＝Ｉｎｆｏｒｍａｔｉｏｎ  Ｚｏｎｅ）が形成されている。
【００４０】
すなわち、記録信号取得部３２１によって全加算信号ＡＳ１、及び、フォーカシングエラー信号ＦＥ１が取得される領域（＝再生情報領域ＤＡ：中心位置からの距離が２２．３５ｍｍ以上の領域）には、全ての種類（ここでは、ＢＤ、ＤＶＤ、ＣＤ）の光ディスク２において、再生するべき情報が格納されている。一方、検査信号取得部３２２によって全加算信号ＡＳ２、及び、フォーカシングエラー信号ＦＥ２が取得される領域（＝検査領域ＤＡ：中心位置からの距離が２１．３ｍｍ〜２２．０ｍｍの領域）には、ＢＤにおいては、再生するべき情報が格納されており、他の種類（ここでは、ＤＶＤ、ＣＤ）の光ディスク２において、再生するべき情報以外の情報が格納されている。
【００４１】
従って、光ディスク２がＢＤである場合には、検査領域ＤＡには再生情報領域ＤＡと同様に再生するべき情報が格納されているため、記録信号取得部３２１によって取得される全加算信号の振幅値ＡＳ１と、検査信号取得部３２２によって取得される全加算信号の振幅値ＡＳ２とは略一致し、記録信号取得部３２１によって取得されるフォーカシングエラー信号の振幅値ＦＥ１と、検査信号取得部３２２によって取得されるフォーカシングエラー信号の振幅値ＦＥ２とは略一致するのである。
【００４２】
再び、図２に戻って、ＤＳＰ３２の機能構成について説明する。判別部３２３（判別手段に相当する）は、記録信号取得部３２１によって取得された全加算信号ＡＳ１及びフォーカシングエラー信号ＦＥ１と、検査信号取得部３２２によって取得された全加算信号ＡＳ２及びフォーカシングエラー信号ＦＥ２とに基づいて、光ディスク２がＢＤであるか否かを判別するものである。
【００４３】
具体的には、判別部３２３は、記録信号取得部３２１によって取得された全加算信号ＡＳ１の値を、検査信号取得部３２２によって取得された全加算信号ＡＳ２の値で除した商αが、予め設定された下限閾値ＳＨ１１（例えば、０．８）及び上限閾値ＳＨ１２（例えば、１．２）の範囲内であり、且つ、記録信号取得部３２１によって取得されたフォーカシングエラー信号ＦＥ１の値を、検査信号取得部３２２によって取得されたフォーカシングエラー信号ＦＥ２の値で除した商βが、予め設定された下限閾値ＳＨ２１（例えば、０．８）及び上限閾値（例えば、１．２）の範囲内である場合に、光ディスク２がＢＤであると判別するものである（図５に示すフローチャート参照）。
【００４４】
図５は、本発明に係るディスクプレーヤ１００の動作の一例を示すフローチャートである。まず、記録信号取得部３２１によって、スレッドモータ５１を介して光ピックアップ１が光ディスク２の再生するべき情報が格納された領域である再生情報領域ＤＡ（例えば、中心位置からの距離が３０ｍｍの位置）へ移動される（Ｓ１０１）。そして、記録信号取得部３２１によって、光ピックアップ１に配設されたＢＤ用ＬＤが発光される（Ｓ１０３）。次いで、記録信号取得部３２１によって、全加算信号ＡＳ１及びフォーカシングエラー信号ＦＥ１が取得される（Ｓ１０５）。
【００４５】
次に、検査信号取得部３２２によって、スレッドモータ５１を介して光ピックアップ１が光ディスク２の中心位置から２１．３ｍｍから２２．０ｍｍまでの領域である検査領域ＣＡ（例えば、中心位置からの距離が２１．７ｍｍの位置）へ移動される（Ｓ１０７）。そして、検査信号取得部３２２によって、光ピックアップ１に配設されたＢＤ用ＬＤが発光される（Ｓ１０９）。次いで、検査信号取得部３２２によって、全加算信号ＡＳ２及びフォーカシングエラー信号ＦＥ２が取得される（Ｓ１１１）。
【００４６】
次に、判別部３２３によって、ステップＳ１０５において取得された全加算信号ＡＳ１の値を、ステップＳ１１１において取得された全加算信号ＡＳ２の値で除した商αが求められる（Ｓ１１３）。そして、判別部３２３によって、ステップＳ１０５において取得されたフォーカシングエラー信号ＦＥ１の値を、ステップＳ１１１において取得されたフォーカシングエラー信号ＦＥ２の値で除した商βが求められる（Ｓ１１５）。
【００４７】
次に、判別部３２３によって、ステップＳ１１３において求められた商αが、下限閾値ＳＨ１１及び上限閾値ＳＨ１２の範囲内であるか否かの判定が行われる（Ｓ１１７）。商αが下限閾値ＳＨ１１及び上限閾値ＳＨ１２の範囲内ではないと判定された場合（Ｓ１１７でＮＯ）には、判別部３２３によって、光ディスク２がＢＤではないと判定され（Ｓ１２３）、処理が終了される。商αが下限閾値ＳＨ１１及び上限閾値ＳＨ１２の範囲内であると判定された場合（Ｓ１１７でＹＥＳ）には、判別部３２３によって、ステップＳ１１５において求められた商βが下限閾値ＳＨ２１及び上限閾値ＳＨ２２の範囲内であるか否かの判定が行われる（Ｓ１１９）。
【００４８】
商βが下限閾値ＳＨ２１及び上限閾値ＳＨ２２の範囲内ではないと判定された場合（Ｓ１１９でＮＯ）には、判別部３２３によって、光ディスク２がＢＤではないと判定され（Ｓ１２３）、処理が終了される。商βが下限閾値ＳＨ２１及び上限閾値ＳＨ２２の範囲内であると判定された場合（Ｓ１１９でＹＥＳ）には、判別部３２３によって、光ディスク２がＢＤであると判定され（Ｓ１２３）、処理が終了される。
【００４９】
このようにして、光ピックアップ１に配設されたＢＤ用ＬＤからのレーザ光が、光ディスク２の再生するべき情報が格納された領域である再生情報領域ＤＡに照射されて、光ピックアップ１で取得された全ての反射光に対応する電気信号の総和である全加算信号ＡＳ１が取得される。また、ＢＤ用ＬＤからのレーザ光が、光ディスク２の中心位置から２１．３ｍｍから２２．０ｍｍまでの領域である検査領域ＣＡに照射されて、全加算信号ＡＳ２が取得される。取得された２つの全加算信号ＡＳ１、ＡＳ２に基づいて、光ディスク２がＢＤであるか否かが判別されるため、光ディスク２がＢＤであるか否かを正確に判別することができる。
【００５０】
すなわち、光ディスク２の中心位置から２１．３ｍｍから２２．０ｍｍまでの領域である検査領域ＣＡは、ＢＤの場合には、再生するべき情報が格納された再生情報領域（＝Ｉｎｆｏｒｍａｔｉｏｎ  Ａｒｅａ）であるのに対して、ＣＤ又はＤＶＤの場合には、再生情報領域ではない（図４参照）ため、再生情報領域ＤＡで検出される全加算信号ＡＳ１及び検査領域ＣＡで検出される全加算信号ＡＳ２に基づいて、光ディスク２がＢＤであるか否かが判別されるので、光ディスク２がＢＤであるか否かを正確に判別することができるのである。
【００５１】
また、光ピックアップ１に配設されたＢＤ用ＬＤからのレーザ光が、光ディスク２の再生するべき情報が格納された領域である再生情報領域ＤＡに照射されて、光ディスク２における記録面の位置に対する光源からの照射光の焦点位置のズレ量を示すフォーカシングエラー信号ＦＥ１が取得される。また、ＢＤ用ＬＤからのレーザ光が、光ディスク２の中心位置から２１．３ｍｍから２２．０ｍｍまでの領域である検査領域ＣＡに照射されて、フォーカシングエラー信号ＦＥ２が取得される。取得された２つのフォーカシングエラー信号ＦＥ１、ＦＥ２に基づいて、光ディスク２がＢＤであるか否かが判別されるため、光ディスク２がＢＤであるか否かを正確に判別することができる。
【００５２】
すなわち、光ディスク２の中心位置から２１．３ｍｍから２２．０ｍｍまでの領域である検査領域ＣＡは、ＢＤの場合には、再生するべき情報が格納された再生情報領域（＝Ｉｎｆｏｒｍａｔｉｏｎ  Ａｒｅａ）であるのに対して、ＣＤ及びＤＶＤの場合には、再生情報領域ではない（図４参照）ため、再生情報領域ＤＡで検出されるフォーカシングエラー信号ＦＥ１及び検査領域ＣＡで検出されるフォーカシングエラー信号ＦＥ２に基づいて、光ディスクがＢＤであるか否かが判別されるので、光ディスクがＢＤであるか否かを正確に判別することができるのである。
【００５３】
更に、再生情報領域ＤＡで検出された全加算信号ＡＳ１の値を、検査領域ＣＡで検出された全加算信号ＡＳ２の値で除した商αが、予め設定された下限閾値ＳＨ１１（例えば、０．８）及び上限閾値ＳＨ１２（例えば、１．２）の範囲内であり、且つ、再生情報領域ＤＡで検出されたフォーカシングエラー信号ＦＥ１の値を、検査領域ＣＡで検出されたフォーカシングエラー信号ＦＥ２の値で除した商βが、予め設定された下限閾値ＳＨ２１（例えば、０．８）及び上限閾値（例えば、１．２）の範囲内である場合に、光ディスク２がＢＤであると判別されるため、下限閾値ＳＨ１１、ＳＨ２１及び上限閾値ＳＨ１２、ＳＨ２２を適正値に設定することにより、光ディスク２がＢＤであるか否かを更に正確に判別することができる。
【００５４】
なお、本発明は、以下の形態にも適用可能である。
（Ａ）本実施形態では、光ピックアップ１が３個の光源（＝ＣＤ用ＬＤ、ＤＶＤ用ＬＤ及びＢＤ用ＬＤ）を有する場合について説明したが、光ピックアップ１が２個の光源を有する形態でもよい。例えば、光ピックアップ１がＤＶＤ用ＬＤ及びＢＤ用ＬＤを備える形態でもよい。
【００５５】
（Ｂ）本実施形態では、ＤＳＰ３２が記録信号取得部３２１、検査信号取得部３２２、及び、判別部３２３として機能する場合について説明したが、少なくとも１の機能部が回路によって実現されている形態でもよい。
【００５６】
（Ｃ）本実施形態では、判別部３２３が、全加算信号ＡＳ１、ＡＳ２及びフォーカシングエラー信号ＦＥ１、ＦＥ２に基づいて光ディスク２がＢＤであるか否かを判別する場合について説明したが、判別部３２３が、全加算信号ＡＳ１、ＡＳ２及びフォーカシングエラー信号ＦＥ１、ＦＥ２のいずれか一方に基づいて光ディスク２がＢＤであるか否かを判別する形態でもよい。この場合には、処理が簡略化される。
【００５７】
（Ｄ）本実施形態では、判別部３２３が、全加算信号ＡＳ１、ＡＳ２の振幅値（図３に示すＡＳｐｐ）及びフォーカシングエラー信号ＦＥ１、ＦＥ２の振幅値（図３に示すＦＥｐｐ）に基づいて光ディスク２がＢＤであるか否かを判別する場合について説明したが、判別部３２３が、全加算信号ＡＳ１、ＡＳ２の最大値（図３に示すＡＳｍａｘ）及びフォーカシングエラー信号ＦＥ１、ＦＥ２の最大値（図３に示すＦＥｍａｘ）に基づいて光ディスク２がＢＤであるか否かを判別する形態でもよい。また、判別部３２３が、フォーカシングエラー信号ＦＥ１、ＦＥ２の最小値（図３に示すＦＥｍｉｎ）に基づいて光ディスク２がＢＤであるか否かを判別する形態でもよい。この場合には、処理が簡略化される。
【図面の簡単な説明】
【００５８】
【図１】は、本発明に係るディスクプレーヤの一例を示す構成図である。
【図２】は、本発明に係るディスクプレーヤにおける主要部の構成の一例を示す機能構成図である。
【図３】は、フォーカシングエラー信号ＦＥ、全加算信号ＡＳの一例を示すグラフである。
【図４】は、各種の光ディスクに形成された領域を示す図である。
【図５】は、本発明に係るディスクプレーヤの動作の一例を示すフローチャートである。
【符号の説明】
【００５９】
１００    ディスクプレーヤ（光ディスク再生装置）
１    光ピックアップ（記録信号取得手段の一部、検査信号取得手段の一部）
３    出力装置
３１    ＲＦアンプ（記録信号取得手段の一部、検査信号取得手段の一部）
３２    ＤＳＰ
３２１    記録信号取得部（記録信号取得手段の一部）
３２２    検査信号取得部（検査信号取得手段の一部）
３２３    判別部（判別手段）
４    制御装置
４２    ドライバ（記録信号取得手段の一部、検査信号取得手段の一部）
５    駆動装置
５１    スレッドモータ
５２    スピンドルモータ
【図１】
2008243245.tif 000003
【図２】
2008243245.tif 000004
【図３】
2008243245.tif 000005
【図４】
2008243245.tif 000006
【図５】
2008243245.tif 000007